(57)【要約】      （修正有）【課題】安価に弁当箱の側面に立体的な装飾を表示できる販売用弁当箱を提供する。【解決手段】内箱（２）の外側面に装飾部（２５）を表示するとともに、所定の強度を得る目的で肉厚に形成される外箱（３）に、内箱（２）の外側面に表示された装飾部（２５）を外方へ露出させる窓孔（３３）を穿設する。装飾部（２５）は、外箱（３）の外側面の内側に窓孔（３３）を輪郭としてその中に立体的に表され、簡単な構成で安価に人目を惹きつける立体的な装飾を表示できる。【選択図】図２
0003119184.tif 000002
【実用新案登録請求の範囲】
【請求項１】
平面側が開口する枡形に形成され、枡形内に食物を収容する水密性の内箱（２）と、
内箱（２）の外側面を囲い、平面側から内箱（２）を収容する外箱（３）と、
内箱（２）が収容された外箱（３）の平面側全体を覆う蓋体（４）とを備えた販売用弁当箱であって、
内箱（２）の外側面に、彩色、絵柄若しくは文字からなる第１装飾部（２５）を表示し、
外箱（３）に、内箱（２）の外側面に表示された第１装飾部（２５）を外方へ露出させる第１窓孔（３３）を穿設したことを特徴とする販売用弁当箱。
【請求項２】
蓋体（４）が、外箱（３）の外側面を覆う側片（４５）を備え、
外箱（３）の第１窓孔（３３）が穿設された周囲の外側面に、彩色、絵柄若しくは文字からなる第２装飾部（３４）を表示するとともに、
蓋体（４）の側片（４５）に、外箱（３）の第１窓孔（３３）とその周囲の第２装飾部（３４）を外方へ露出させる第２窓孔（４３）を穿設したことを特徴とする請求項１に記載の販売用弁当箱。
【請求項３】
平面側が開口する枡形に形成され、枡形内に食物を収容する水密性の内箱（２）と、
内箱（２）の外側面を囲い、平面側から内箱（２）を収容する外箱（３）と、
内箱（２）が収容された外箱（３）の平面側全体を覆う蓋体（４）とを備えた販売用弁当箱であって、
外箱（３）に、彩色、絵柄若しくは文字からなる第３装飾部（５１）が表示された表示板（５）を、内箱（２）の外側面との間で位置決め収容する表示板収容凹部（３５）と、表示板収容凹部（３５）の一部に連通し、表示板（５）の第３装飾部（５１）を外部へ露出させる第３窓孔（３６）を穿設したことを特徴とする販売用弁当箱。
【考案の詳細な説明】
【技術分野】
【０００１】
本考案は、仕出し弁当、駅弁などの弁当に使い捨てで用いられる販売用弁当箱に関し、更に詳しくは、商品広告、弁当の内容などをの装飾が表示された販売用弁当箱に関するものである。
【背景技術】
【０００２】
従来より、仕出し弁当、駅弁などの弁当に用いられる販売用弁当箱には、弁当の内容を装飾的に表示したり、高級感をかもし出し、購入者の嗜好を刺激する目的で、種々の絵柄や文字からなる装飾が弁当箱の表面に表示されている（特許文献１）。
【０００３】
図８は、この従来の販売用弁当箱１００を示すもので、合成樹脂製の容器本体１０１と、容器本体１０１の表面を覆うカバーシート１０２と、厚紙からなる化粧蓋１０３とで構成されている。容器本体１０１は、合成樹脂製のシートを加熱成形して形成した複数の凹部内にご飯やおかずを収容するもので、カバーシート１０２は、収容されたこれらの食品の表面を覆い、食品に含まれる水分がその表面側を覆う化粧蓋１０３に滲み込むのを阻止し、化粧蓋１０３を清潔に保つ為のものである。
【０００４】
化粧蓋１０３は、容器本体１０１の外側面を覆う側片１０３ａを備え、側片１０３ａに穿設された係合孔１０３ｂと、容器本体１０１の把手１０１ａを係合させ、弁当箱１００を一体化している。厚紙で形成される化粧蓋１０３には、予めその表面に模様、色彩などの装飾１０４が印刷され、この装飾１０４が弁当箱１００の表面に表されることによって、高級感のある弁当としている。
【０００５】
この従来の販売用弁当箱１００は、食品を収容する容器本体１０１を合成樹脂で一体に成形するこにより水密性としているので、底面や側面側に食品に含まれる水分が染み込むことがないが、成形した容器本体１０１の外側面や底面側の凹凸がそのまま表れるので外観が損なわれ、装飾１０４を印刷して高級感をかもし出そうとしても、充分にその効果は得られなかった。また、低価格な厚紙から食品を収容する容器を形成し、紙製容器の内面全体に防水性シール剤を付着させて水密性とした販売用弁当箱も知られているが、折り畳んだ厚紙では食品を収容した際の強度が保てず、また、同様に高級感が得られないものであった。
【０００６】
そこで、図９に示すように、食品を収容する水密性の内箱１１１を、所定の強度と高級感が得られる材質で形成した外箱１１２で囲った販売用弁当箱１１０も知られている（特許文献２、特許文献３）。
【０００７】
この従来の販売用弁当箱１１０によれば、枡形に形成した水密性を有する内箱１１１を、同様に枡形に形成した外箱１１２へ平面側から収容することにより、弁当箱１１０に充分な強度が得られる。更に、外箱１１２自体に水密性が求められないので、厚紙、発泡スチロールなどの合成樹脂、アルミニウムなど種々の材料を用いて高級感のある外観が得られる。
【０００８】
【特許文献１】実開平５−２８２２１号公報
【特許文献２】実開昭６１−２２７３０号公報
【特許文献３】特開２００５−１４５４８３号公報
【考案の開示】
【考案が解決しようとする課題】
【０００９】
特許文献１に開示されている販売用弁当箱１００は、厚紙からなる化粧蓋１０３の表面に装飾１０４を印刷し、購入者の嗜好を刺激したり、弁当に高級感を出そうとしているが、平面的な印刷による装飾はありふれているので、注意を喚起するまでには至らず、厚紙だけでは装飾を立体的に表示することはできない。
【００１０】
内箱１１１と外箱１１２を備えた従来の販売用弁当箱１１２によれば、外箱１１２を種々の材料を用いて形成できるので、厚肉の合成樹脂などを用いて成形時に立体的な装飾を同時にその外側面に形成することも可能であるが、多色の異なる樹脂を用いるなど製造コストが上昇し、使い捨てで用いられる低価格な販売用弁当箱には見合わない。
【００１１】
従って、従来の販売用弁当箱では、購買者の注意を喚起したり、高級感をかもし出すような立体的な装飾を、低コストでその表面に表示することはできず、弁当箱の装飾に限界があった。
【００１２】
本考案は、このような従来の問題点を考慮してなされたものであり、安価に弁当箱の側面に立体的な装飾を表示できる販売用弁当箱を提供することを目的とする。
【課題を解決するための手段】
【００１３】
上述の目的を達成するため、請求項１の販売用弁当箱は、平面側が開口する枡形に形成され、枡形内に食物を収容する水密性の内箱と、内箱の外側面を囲い、平面側から内箱を収容する外箱と、内箱が収容された外箱の平面側全体を覆う蓋体とを備えた販売用弁当箱であって、内箱の外側面に、彩色、絵柄若しくは文字からなる第１装飾部を表示し、
外箱に、内箱の外側面に表示された第１装飾部を外方へ露出させる第１窓孔を穿設したことを特徴とする。
【００１４】
外箱は、水密性が求められないので、装飾に適した任意の材料で形成される。内箱を外箱に収容した状態で、内箱の外側面に表示された第１装飾部は、外箱の第１窓孔の輪郭でその周囲が区切られ、立体的に表される。外箱を弁当箱全体の強度を保つために肉厚とすれば、第１装飾部はより内側に表れ、立体感が得られる。
【００１５】
請求項２の販売用弁当箱は、蓋体が、外箱の外側面を覆う側片を備え、外箱の第１窓孔が穿設された周囲の外側面に、彩色、絵柄若しくは文字からなる第２装飾部を表示するとともに、蓋体の側片に、外箱の第１窓孔とその周囲の第２装飾部を外方へ露出させる第２窓孔を穿設したことを特徴とする。
【００１６】
蓋体の側片で外箱の外側面を覆った状態で、外側面に表示された第２装飾部は、側片の第２窓孔の輪郭でその周囲が区切られ、立体的に表される内箱の第１装飾部が第２装飾部と併せて更に立体的に表される。
【００１７】
請求項３の販売用弁当箱は、平面側が開口する枡形に形成され、枡形内に食物を収容する水密性の内箱と、内箱の外側面を囲い、平面側から内箱を収容する外箱と、内箱が収容された外箱の平面側全体を覆う蓋体とを備えた販売用弁当箱であって、外箱に、彩色、絵柄若しくは文字からなる第３装飾部が表示された表示板を、内箱の外側面との間で位置決め収容する表示板収容凹部と、表示板収容凹部の一部に連通し、表示板の第３装飾部を外部へ露出させる第３窓孔を穿設したことを特徴とする。
【００１８】
任意の第３装飾部が表示された表示板は、表示板収容凹部内に位置決め収容され交換自在であるので、販売用弁当箱の食品の内容に適した表示の第３装飾部を第３窓孔を通して立体的に表示できる。
【考案の効果】
【００１９】
請求項１の考案によれば、内箱の外側面に表示された第１装飾部は、外箱の第１窓孔を通して目視されるので、第１窓孔の輪郭により立体的に表され、更に、外箱の第１窓孔の周囲に別の装飾を施せば、弁当箱の肉厚方向に向かって二段階に分けた装飾を表示することができ、人目を惹きつける立体的な装飾を表示できる。特に、立体的な装飾は、多段に重ねて販売する際にも隠れない販売用弁当箱の外側面に表されるので、各弁当箱の立体的な装飾が多段に重なって表れ、より人目を惹くものとなる。
【００２０】
外箱は、水密性が求められないので、装飾に適した材料で形成でき、また、所定の強度を得るために肉厚に成形できるので、弁当箱に高級感が得られるとともに第１装飾部をより立体的に表示できる。
【００２１】
請求項２の考案によれば、外箱と内箱の表面側を覆う蓋体を利用して、外箱の第１窓孔から露出する第１装飾部を、蓋体の側片に穿設した第２窓孔を通して露出させるので、より立体的に表される。更に、側片の第２窓孔の周囲に別の装飾を施せば、弁当箱の肉厚方向に向かって三段階に分けて装飾を立体的に表示することができ、人目を惹きつける装飾とすることができる。
【００２２】
請求項３の考案によれば、販売用弁当箱の食品に応じて、任意の装飾を立体的に表示できる。従って、内箱、外箱及び蓋体の同一構成部品を大量生産して汎用とすることができ、製造コストが低下する。
【考案を実施するための最良の形態】
【００２３】
以下、本考案の一実施の形態に係る販売用弁当箱１を、図１乃至図３で説明する。図１は、販売用弁当箱１の斜視図、図２は、販売用弁当箱１の分解斜視図、図３は、図１のＡ−Ａ線断面図である。これらの図に示すように販売用弁当箱１は、内箱２と、内箱２を収容する外箱３と、内箱２を収容した外箱３の開口した平面側（図３において上面側）を覆う蓋体４とから構成されている。
【００２４】
本実施の形態に係る内箱２は、厚紙が用いられ、図２に示すように、１枚の厚紙を折り畳んで、平面側が開口する枡形に形成される。すなわち、一枚の厚紙から長方形となる四隅のコーナー片２１を内側に折り曲げて、長尺壁片２２と短尺壁片２３とで枠組みされる枡形とし、短尺壁片２３の外側に連設された折り返し片２４を、コーナー片２１上に折り返して枡形に折り曲げられた内箱２の形状が保たれている。
【００２５】
内箱２は、枡形内に弁当のおかずやご飯などの食品を収容するもので、枡形の内部は必要に応じて中仕切片（図示省略）によって仕切られている。内箱２は、平面側が開口し上方から食品を収容できる枡形であれば、任意の形状で形成される。また、内箱２を形成する素材は、後述する内箱装飾２５をその外側面に表示可能であれば、プラスチック、アルミニュームなど任意の材料を使用することができるが、本実施の形態に係る厚紙など透水性の材料で形成する場合には、食品に含まれる水分が底面や側面に滲まないようにも枡形の内面を防水加工て水密性とする。水密性とする加工方法としては、内箱２を折り畳む前の厚紙の展開状態で、内面となる厚紙の一面に合成樹脂、動・植物系或いは無機系の材料による防水皮膜（図示せず）を印刷形成する。防水加工は、内箱２を形成した後に、防水材料の吹き付け或いは刷毛引きにより行ってもよい。
【００２６】
内箱２の外側面、ここでは長尺壁片２２の外側面には、中央に黄緑色の地色に黒色の○×弁当の文字が表示された装飾２５ａと、その長手方向の両側で赤の地色の装飾２５ｂからなる内箱装飾２５が印刷されている。これらの内箱装飾２５は、内箱２が外箱３内に収容された際に、外箱３の窓孔３３が穿設される内側の対応部位に印刷され、内箱装飾２５の地色は、少なくとも対応部位の窓孔３３の輪郭を囲う領域全体に印刷されている。
【００２７】
外箱３は、食品を水分のもれなく収容する目的で比較的簡易に形成される内箱２の強度を補い、弁当箱全体に高級感をもたらす目的で、内箱２を開口する平面側から収容する枡形に形成されるもので、ここでは、底板３１と底板３１の周囲から起立する側板３２が発泡スチロールにより一体に形成される。外箱３の素材も、変形しない所定の強度と、外観に高級感が得られるものではあれば、他の合成樹脂、段ボール紙等の任意材料とすることができる。外箱３全体の厚みは、容易に変形しないように比較的厚めに形成され、枡形の内面は、折り畳み形成した内箱２をほぼ隙間なく遊嵌する大きさに形成される。
【００２８】
図２、図３に示すように、外箱３の側板３２には、内箱２を収容した状態で内箱装飾２５を外方へ露出させる複数の窓孔３３ａ、３３ｂが穿設されている。側板３２の外側面全体は、黒色に印刷され、側板３２の中央に松の図柄を輪郭とした窓孔３３ａと、その両側に菱形を輪郭とした窓孔３３ｂがそれぞれ穿設されている。これにより、図１に示すように、内箱２に表示された黄緑色の地色に黒色の○×弁当の文字からなる装飾２５ａは、松の図柄を輪郭とする窓孔３３ａ内に露出し、黄緑色の松の図柄が重厚感が得られる黒色の地色内に立体的に表され、○×弁当の文字が引き立って表示される。また、赤の地色の装飾２５ｂは、菱形を輪郭とした窓孔３３ｂ内に露出し、菱形の赤の図柄が黒色の地色内に立体的に表される。
【００２９】
蓋体４は、内箱２に収容した食品を外部と遮断して衛生的に保つもので、外箱３の平面側開口を覆う形状であれば、任意の形状とすることができる。ここでは蓋本体４１とその周辺からそれぞれ一体に垂設される側片４２が厚紙で一体に形成されたもので、枡形の外箱３を平面側から被嵌する形状となっている。側片４２の短手方向（上下方向）の幅は短く、側片４２によって前述した内箱装飾２５が覆われないようになっている。平板状の蓋本体４１表面には、弁当の内容や広告を表す種々の表示が印刷され、本実施の形態では、黒色の地色に印刷された側板３２に合わせて、黒色の地色で印刷されている。
【００３０】
本実施の形態に係る販売用弁当箱１によれば、安価に製造できる内箱２と外箱３を用いて、高級感のある外観で、人目を惹く立体的な装飾２５をその外側面に表すことができる。
【００３１】
図４乃至図６は、本考案の第２実施の形態に係る販売用弁当箱５０を示すもので、第１実施の形態に係る販売用弁当箱１と同一若しくは同様に作用する構成には、同一番号を付してその説明を省略する。図４は、販売用弁当箱５０の斜視図、図５は、販売用弁当箱５０の分解斜視図、図６は、図４のＢ−Ｂ線断面図である。
【００３２】
この販売用弁当箱５０は、上述の販売用弁当箱１と異なり、蓋体４の側片４５が外箱３の側板３２全体を覆うように上下方向に幅広となっていて、更にこの側片４５には、外箱３の窓孔３３とその周囲に描かれた外箱装飾３５を外方へ露出させるように、窓孔３３と外箱装飾３５を囲う輪郭の外窓孔４３が穿設されたものとなっている。
【００３３】
販売用弁当箱５０は、お月見弁当と称して販売される弁当の弁当箱で、お月見をモチーフとしたデザインが表示されている。これを更に具体的に説明すると、外箱３の窓孔３３は、満月を表す円形の輪郭で切り欠かれたもので、内箱２の外側面に印刷された黄色の地色からなる内箱装飾２５を窓孔３３から外方へ臨ませている。外箱３の側板３２の窓孔３３が穿設された周囲には、お月見の風景をあしらった絵柄の外箱装飾３５が印刷されている。
【００３４】
蓋体４の側片４５には、前記窓孔３３と外箱装飾３５を囲う横長長方形の輪郭の外窓孔４３が穿設され、蓋体４で外箱３の平面側全体を覆うと、外窓孔４３を通して、満月を表す窓孔３３とお月見の風景の外箱装飾３５が外方へ露出する。長方形の外窓孔４３は、障子を開けた窓枠を表すもので、側片４５の外窓孔４３の両側に障子の絵柄からなる蓋装飾４４が描かれている。尚、蓋体４の蓋本体４１表面には、お月見弁当の文字と月の絵柄が印刷されている。
【００３５】
このように構成された販売用弁当箱５０は、内箱２を外箱３内に収容し、蓋体４を外箱３の平面側から覆って組み立てられる。図４、図６に示すように組み立てた状態で、障子を開けた窓枠を表す外窓孔４３内に、満月を表す窓孔３３とお月見の風景をあしらった絵柄の外箱装飾３５が表れ、満月の黄色を表す内箱装飾２５とお月見の風景をあしらった絵柄の外箱装飾３５と障子の絵柄からなる蓋装飾４４は、販売用弁当箱５０の内側から肉厚方向の外方に向かって３段の異なる位置に表され、立体的なデザインとして側面に表れる。
【００３６】
この販売用弁当箱５０の弁当を販売する際には、蓋装飾４４が表れる側面を弁当を販売する店先に向けて複数の販売用弁当箱５０を重ねれば、立体的装飾が上下多段に表れ、弁当を購入する者の注目を集め、購買欲を惹き起こすことができる。
【００３７】
図７は、本考案の更に異なる実施の形態に係る販売用弁当箱６０を示す分解斜視図であり、同様に上述実施の形態に係る構成と同一若しくは同様に作用する構成については同一番号を付してその説明を省略する。
【００３８】
第３の実施の形態に係る販売用弁当箱６０は、所定の強度と高級感を得るために側板３２を肉厚とした外箱３を利用して、一対の側板３１、３１に板状の表示板５を位置決め収容する表示板収容凹部３５と、表示板５を外方へ露出させる切り欠き３６を形成したものである。
【００３９】
表示板５は、所定の装飾５１が表示できるものであれば、紙、合成樹脂など任意の材料で形成され、ここではアクリルの長方形のプラスチック板で形成されている。表示板５の一面には、販売する弁当の内容を表す「○×弁当」等の文字の表示板装飾５１が表示されている。
【００４０】
側板３２の内側面に沿って凹設される表示板収容凹部３５は、表示板５の厚さにほぼ等しく、表示板５の長手方向にがたつきなく収容する形状に凹設され、その上方は側板３２の上端に連続し上方に開口している。この表示板収容凹部３５は、外箱３に内箱２を収容することにより、その内側が内箱２の長尺壁片２２によって覆われるので、これにより蓋体４で施蓋する前に、弁当の内容に合わせて表示板装飾５１が表示された任意の表示板５を、開口する表示板収容凹部３５の上方から内箱２の長尺壁片２２との隙間に沿って挿入し、表示板収容凹部３５内にがたつきなく収容できる。
【００４１】
側板３２の表示板収容凹部３５が凹設された領域の外側には、表示板収容凹部３５の中央部を外側面へ連通させる切り欠き３６が形成されている。切り欠き３６は、表示板収容凹部３５に収容される表示板５が外方へ脱落しないように、表示板収容凹部３５の輪郭より小さい輪郭で、また、表示板５に表示された表示板装飾５１を外方へ露出させる充分な大きさで、表示板装飾５１が表示された対応部位に形成される。切り欠き３６も側板３２の上端に連通し、上方に開口しているが、必ずしも上方へ開口させる必要はない。
【００４２】
図７に示すように、この表示板収容凹部３５と切り欠き３６は、外箱３の長手方向に沿った一対の側板３２のそれぞれに形成され、従って、表示板装飾５１が表示された任意の表示板５は、いずれの側面からも目視できる。
【００４３】
それぞれの表示板収容凹部３５内に表示板５を収容した外箱３は、蓋体４によりその平面側開口全体が覆われる。蓋体４の側片は、第１実施の形態に係る側片４１と同様に短手方向に狭い幅となっていて、切り欠き３６を通して外方に露出する表示板装飾５１が側片４１によって覆われないようなっている。表示板収容凹部３５の上端が蓋体４で覆われることにより、表示板５は表示板収容凹部３５から脱落することなく位置決め収容される。
【００４４】
この販売用弁当箱６０によれば、予め任意の表示板装飾５１を表示した複数の表示板５を用意しておき、弁当の内容に合わせて表示板５を差し替えれば、汎用の内箱２、外箱３及び蓋体４を用いて異なる弁当の販売用弁当箱６０とすることができる。また、表示板５に表示される表示板装飾５１は、外箱３の外側面に対して切り欠き３６を介して一段内側に露出するので、立体的に表示される。
【００４５】
上述の各実施の形態では、内箱２及び外箱３を直方体状の枡形としたが、その外形形状は、上述例にかぎらず、円筒形、楕円形など種々の形状とすることができる。
【００４６】
また、外箱３の窓孔３３と蓋体４の外窓孔４３は、それぞれ側板３２や側片４２の上端若しくは下端に連続しない貫通孔で形成されているが、上端及び／又は下端に連続する切り欠きで形成してもよく、逆に、第３実施の形態に係る切り欠き３６は、側板３２の上端若しくは下端に連続しない貫通孔であってもよい。
【産業上の利用可能性】
【００４７】
弁当箱の装飾が購買の指標となる駅弁、仕出し弁当などの弁当の販売用弁当箱に適している。
【図面の簡単な説明】
【００４８】
【図１】本考案の第１実施の形態に係る販売用弁当箱１の斜視図である。
【図２】販売用弁当箱１の分解斜視図である。
【図３】図１のＡ−Ａ線断面図である。
【図４】本考案の第２実施の形態に係る販売用弁当箱５０の斜視図である。
【図５】販売用弁当箱５０の分解斜視図である。
【図６】図４のＢ−Ｂ線断面図である。
【図７】本考案の第３実施の形態に係る販売用弁当箱６０の分解斜視図である。
【図８】従来の販売用弁当箱１００を示す分解斜視図である。
【図９】他の従来の販売用弁当箱１１０を示す部分分解斜視図である。
【符号の説明】
【００４９】
１    販売用弁当箱
２    内箱
２５  内箱装飾（第１装飾部）
３    外箱
３３  窓孔（第１窓孔）
３４  外箱装飾（第２装飾部）
３５  表示板収容凹部
３６  切り欠き（第３窓孔）
４    蓋体
４３  外窓孔（第２窓孔）
４５  側片
５    表示板
５１  表示板装飾（第３装飾部）
【図１】
0003119184.tif 000003
【図２】
0003119184.tif 000004
【図３】
0003119184.tif 000005
【図４】
0003119184.tif 000006
【図５】
0003119184.tif 000007
【図６】
0003119184.tif 000008
【図７】
0003119184.tif 000009
【図８】
0003119184.tif 000010
【図９】
0003119184.tif 000011